(57)【要約】【課題】  竜頭の円滑な回転操作を保証できるとともに、巻真パイプと竜頭との螺合部の耐久性、加工性、及び螺合部を加工する工具寿命を向上できる携帯時計を提供する。【解決手段】  胴１３に取付けられた巻真パイプ２１に竜頭３１がねじロックされるとともに、巻真パイプ２１と竜頭３１との間がシールパッキン２７でシールされた腕時計１１を前提とする。シールパッキン２７を巻真パイプ２１と竜頭３１とが螺合された螺合部に対する塵の侵入経路を遮って設けたことを特徴としている。【選択図】      図２
2005265753.tif 000002
【特許請求の範囲】
【請求項１】
胴に取付けられた巻真パイプに螺合する竜頭がねじロックされるとともに、前記巻真パイプと前記竜頭との間がシールパッキンでシールされた携帯時計であって、
前記シールパッキンが前記巻真パイプと前記竜頭との螺合部に対する塵の侵入経路を遮って設けられている携帯時計。
【請求項２】
胴に取付けられた巻真パイプに螺合する竜頭がねじロックされるとともに、前記巻真パイプと前記竜頭との間がシールパッキンでシールされた携帯時計であって、
前記シールパッキンを境に胴内側で前記巻真パイプと前記竜頭とを螺合させた携帯時計。
【請求項３】
胴と、
雌ねじを有して前記胴に取付けられた巻真パイプと、
前記雌ねじに螺合する雄ねじが形成された竜頭筒部を有して前記巻真パイプに移動可能に取付けられた竜頭と、
前記雌ねじと雄ねじとの螺合部を境に胴内側とは反対側で前記巻真パイプと前記竜頭との間に挟設されて、これら巻真パイプと竜頭との間をシールするシールパッキンと、
を具備した携帯時計。
【請求項４】
前記巻真パイプが、前記雌ねじの谷径より大径な内周面を、前記雌ねじと前記雄ねじとの螺合部を境に胴内側とは反対側に有しているとともに、前記竜頭の竜頭筒部が、前記雄ねじの山径より大径でかつ前記内周面に対向する外周面を有しており、これら内周面と外周面との間に前記シールパッキンが配置されている請求項１から３の内のいずれか一項に記載の携帯時計。
【請求項５】
前記巻真パイプと前記竜頭の竜頭筒部との間をシールする内側シールパッキンが、前記雌ねじと前記雄ねじとの螺合部を境に前記シールパッキンと反対側に設けられている請求項１から４の内のいずれか一項に記載の携帯時計。
【発明の詳細な説明】
【技術分野】
【０００１】
本発明は、竜頭が不用意に回転されないように保持する構造を備えた携帯時計に関する。
【背景技術】
【０００２】
ダイバーズウォッチ等の携帯時計では、その携帯時に竜頭が不用意に回転されないように、ねじの噛合いを利用して竜頭をロックする構造（この構造を本明細書ではねじロックと称する。）が採用されている。
【０００３】
この種携帯時計のねじロックでは、時計ムーブメントが内蔵された胴に巻真パイプを取付け、このパイプの胴外突出部の外周に形成された雄ねじに、前記胴外突出部に被嵌する竜頭の竜頭主部の内周に形成された雌ねじを螺合させている。これにより、通常時には、竜頭主部を胴外突出部の外周にねじ込んで竜頭をねじロックでき、時計ムーブメントを操作する時には、雄ねじに対する竜頭主部の螺合を外してから、竜頭を引き動かして巻真パイプの内側に配置されている巻真を回転させる竜頭操作をすることができる。又、携帯時計は、巻真パイプを通って水等が胴内に侵入しないように、巻真パイプと、この内側に挿入された竜頭の竜頭筒部との間に挟まれるシールパッキンを有している。このシールパッキンは前記雌ねじと雄ねじとの螺合部よりも胴内側に配設されている（例えば、特許文献１及び２参照。）。
【特許文献１】実願平２−５７１７５号（実開平４−１６３９４号）のマイクロフィルム）第５頁第１０行−第６頁第５行、第１図−第２図）
【特許文献２】実願平５−６１０９３号（実開平７−２６７９２号）のＣＤ−ＲＯＭ）段落００１０−００１１、図１）
【発明の開示】
【発明が解決しようとする課題】
【０００４】
特許文献１，２の携帯時計では、胴の内部への防水をするシールパッキンを境として外側、言い換えれば、胴内側と反対側に雄ねじと雌ねじとの螺合部が設けられているので、竜頭を引き動かして時刻合わせ等の竜頭操作する場合、螺合部は時計の外部に晒される状態となる。このため、砂塵などが多い海辺やグランド等での竜頭操作では、前記螺合部に砂塵等の細かな塵が入る可能性がある。砂塵等が螺合部に入って噛み込まれると、竜頭を回転する操作が重くなったり、雄ねじ及び雌ねじの摩耗や損傷が早まって耐久性を損なう恐れがある。
【０００５】
又、特許文献１，２の携帯時計では、竜頭の竜頭主部に雌ねじを加工する際に、雌ねじを切る加工工具であるタップを竜頭主部に貫通させることができないので、竜頭主部に対するタップの送り込み深さが浅い。このため、加工された雌ねじに占める不完全ねじ部の割合が多いとともに完全ねじ部が短い。したがって、雄ねじとの噛み合いも短くならざるを得ない。更に、雌ねじを切るタップは、竜頭軸部を逃げる必要から厚みが薄く、強度的に弱いので、その寿命が短いとともに、雌ねじの精度を高めるには限界がある。こうした事情により、竜頭の雌ねじと巻真パイプの雄ねじとの螺合部の耐久性を向上するには難があり、その改善が求められている。
【０００６】
本発明の目的は、竜頭の円滑な回転操作を保証できるとともに、巻真パイプと竜頭との螺合部の耐久性を向上できる携帯時計を提供することにある。
【課題を解決するための手段】
【０００７】
前記課題を解決するために、本発明は、胴に取付けられた巻真パイプに螺合する竜頭がねじロックされるとともに、前記巻真パイプと前記竜頭との間がシールパッキンでシールされた携帯時計であって、前記シールパッキンが前記巻真パイプと前記竜頭との螺合部に対する塵の侵入経路を遮って設けられている。
【０００８】
この発明では、ねじロックを外し、竜頭を引き動かして竜頭を回転操作する際に、螺合部が時計の外部に晒されないので、螺合部に砂塵などの塵が入り込むことをシールパッキンで防止できる。
【０００９】
又、前記課題を解決するために、本発明は、胴に取付けられた巻真パイプに螺合する竜頭がねじロックされるとともに、前記巻真パイプと前記竜頭との間がシールパッキンでシールされた携帯時計であって、シールパッキンを境に胴内側で巻真パイプと前記竜頭とを螺合させている。
【００１０】
この発明で、胴内側とは、時計ムーブメントが収められた胴の内部を指すものではなく、シールパッキンから前記胴の内部に向かう方面を指している。このため、この発明で、巻真パイプと竜頭とが螺合された部分（螺合部）は、時計ムーブメントが収められた胴の内部とシールパッキンとの間の領域に設けられていて、シールパッキンは前記螺合部に対する塵の侵入経路を遮っている。
【００１１】
この発明では、巻真パイプと竜頭とが螺合された部分（螺合部）がシールパッキンより胴内側に設けられていて、螺合部に対する塵の侵入経路をシールパッキンが遮っているので、ねじロックを外し、竜頭を引き動かして竜頭を回転操作する際に、螺合部が時計の外部に晒されることがない。このため、螺合部に砂塵などの塵が入り込むことをシールパッキンで防止できる。
【００１２】
又、前記課題を解決するために、本発明は、胴に、雌ねじを有した巻真パイプを取付け、雌ねじに螺合する雄ねじが形成された竜頭筒部を有した竜頭を巻真パイプに移動可能に取付け、巻真パイプと竜頭との間をシールするシールパッキンを、雌ねじと雄ねじとの螺合部を境に胴内側とは反対側で巻真パイプと前記竜頭との間に挟設している。
【００１３】
この発明では、巻真パイプの雌ねじと竜頭が有した竜頭筒部の雄ねじとの螺合部に対する塵の侵入経路をシールパッキンが遮っているので、ねじロックを外し竜頭を引き動かして竜頭を回転操作する際に、螺合部が時計の外部に晒されることがない。このため、螺合部に砂塵などの塵が入り込むことをシールパッキンで防止できる。更に、この発明では、巻真パイプに雌ねじを設けると共に、竜頭筒部に雄ねじを設けたから、これら雌ねじ及び雄ねじの加工性がよくなって、ねじの精度を向上できるとともに、雌ねじ及び雄ねじの完全ねじ部を長く形成できるに伴い、螺合部の耐久性を向上できる。
【００１４】
又、本発明の好ましい形態では、前記巻真パイプが、前記雌ねじの谷径より大径な内周面を、前記雌ねじと前記雄ねじとの螺合部を境に胴内側とは反対側に有しているとともに、前記竜頭の竜頭筒部が、前記雄ねじの山径より大径でかつ前記内周面に対向する外周面を有しており、これら内周面と外周面との間に前記シールパッキンが配置されている。この発明の形態では、シールパッキンが密接するシール面となる前記内周面又は外周面に、雌ねじ又は雄ねじを加工するに伴う螺旋状の傷が形成されないので、高いシール性能を発揮できる点で優れている。
【００１５】
又、本発明の好ましい形態では、前記巻真パイプと前記竜頭の竜頭筒部との間をシールする内側シールパッキンが、前記雌ねじと前記雄ねじとの螺合部を境に前記シールパッキンと反対側に設けられている。この発明の形態では、竜頭操作に伴って雌ねじと雄ねじとの螺合部で生じる摩耗粉が、時計ムーブメントが収まっている胴の内部に侵入することを、内側シールパッキンにより抑制できる点で優れている。
【発明の効果】
【００１６】
本発明によれば、巻真パイプと竜頭との螺合部への塵の入り込みを防止できるので、竜頭の円滑な回転操作が保証され、螺合部の耐久性も向上する携帯時計を提供できる。
【発明を実施するための最良の形態】
【００１７】
本発明の第１実施形態を図１及び図２を参照して説明する。
【００１８】
図１中符号１１は竜頭をねじロックできる構造を備えた携帯時計としての腕時計を示している。この腕時計１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００１９】
時計外装組立１２は、環状をなす金属製の胴１３の厚み方向一面に、カバーガラス１４を液密に装着するとともに、胴１３の厚み方向裏面に、金属等からなる裏蓋１５（図２参照）を液密に装着して形成されている。カバーガラス１４を通して文字板１６などを透視可能であり、裏蓋１５は取外し可能である。
【００２０】
図２に示すように胴１３の一部には、この胴１３を径方向に貫通するパイプ取付け孔１７が開けられている。パイプ取付け孔１７の一端は、胴内、つまり時計外装組立１２の内部に開口され、パイプ取付け孔１７の他端は、胴外、つまり時計外装組立１２の外部に開口されている。胴１３の胴外面１３ａには環状の収容溝１８が形成されている。この収容溝１８は、パイプ取付け孔１７より大径で、この孔１７の胴外側開口に連通し、かつ、この開口と同心的に設けられている。
【００２１】
胴１３にはパイプ取付け孔１７に胴外側から挿入された巻真パイプ２１が水密的に固定されている。
【００２２】
詳しくは、巻真パイプ２１は、金属製であり、例えばステンレス鋼を好適に使用できる。巻真パイプ２１は、一端側の挿入部２２とこの挿入部２２に段差をなして連なった他端側の胴外突出部２３とを有している。挿入部２２はパイプ取付け孔１７に胴外側から圧入気味に挿入される部分である。胴外突出部２３は胴１３の外側に配置される部分である。この胴外突出部２３の外径は挿入部２２の外径及び収容溝１８の直径よりも大きい。胴外突出部２３の内径は挿入部２２の内径より大きい。
【００２３】
この巻真パイプ２１は、胴外突出部２３が胴外面１３ａに当たるまでパイプ取付け孔１７に挿入されて、収容溝１８に充填された金属製ろう材２４によって胴１３に対して分離できないように固定されている。この固定を担うろう材２４は、胴１３と巻真パイプ２１との間の防水を担う部材としても機能している。なお、挿入部２２は、本実施形態ではパイプ取付け孔１７を貫通しない長さであるが、取付け孔１７を貫通する長さとしてもよい。
【００２４】
挿入部２２の内面には、ねじロックのための雌ねじ２６が形成されている。胴外突出部２３の内周面２３ａの径は、雌ねじ２６の谷径より大きい。この内周面２３ａに形成された環状のパッキン取付け溝には、ゴム等からなる外側のシールパッキン２７が取付けられている。
【００２５】
図１中符号３１で示す竜頭は、金属製であって、図２に示すように竜頭主部３２と、この中央部から裏側に一体に突出する竜頭筒部３３とを有している。
【００２６】
竜頭主部３２には、竜頭筒部３３の根元側部分３３ａを囲む環状溝３４が設けられている。この環状溝３４は、巻真パイプ２１の胴外突出部２３が遊挿される部分である。竜頭筒部３３は、前記根元側部分３３ａと、この根元側部分３３ａ以外の部分である筒先側部分３３ｂとから形成されている。
【００２７】
竜頭筒部３３の筒先側部分３３ｂは挿入部２２の内側に挿入して配置される部分である。この筒先側部分３３ｂの外周面にはねじロックのための雄ねじ３５が形成されている。雌ねじ３５は、巻真パイプ２１の雌ねじ２６に取外し可能に螺合される。この螺合により、腕時計１１の携帯時に竜頭３１が不用意に回転されないようにねじロックできる。すなわち、前記螺合は、竜頭主部３２に指をかけて、竜頭３１を締め付け方向に回転させることで得ることができ、この逆に竜頭３１を弛める方向に回転させることで外すことができる。竜頭３１を回転させて締め付けることによって、図２に示すように竜頭主部３２の裏側端面３２ａが胴１３の胴外面１３ａに密接して竜頭３１がねじロックされる。
【００２８】
竜頭筒部３３の根元側部分３３ａは胴外突出部２３の内側に挿入して配置される部分である。この根元側部分３３ａは、雄ねじ３５の山径及び前記雌ねじ２６の谷径より大径であり、その外周面３３ｃは前記内周面２３ａに対向される。この外周面３３ｃは、滑らかであり、シール面として機能する。
【００２９】
竜頭筒部３３は、胴外側から巻真パイプ２１内にねじ込まれて、その軸方向に進退可能に設けられている。つまり、雄ねじ３５を雌ねじ２６に噛み合わせて螺合した状態に取付けられている。
【００３０】
この状態での竜頭筒部３３とこれが挿入された巻真パイプ２１との相互関係は図２に示されている。つまり、竜頭筒部３３の筒先側部分３３ｂが巻真パイプ２１の挿入部２２に挿入されて雄ねじ３５と雌ねじ２６とが螺合されるとともに、竜頭筒部３３の根元側部分３３ａが巻真パイプ２１の胴外突出部２３内に挿入され、かつ、この根元側部分３３ａが竜頭主部３２の環状溝３４に挿入される。
【００３１】
この相互関係において、竜頭操作の際に竜頭主部３２と胴１３の胴外面１３ａとの間に形成される隙間、及びこの隙間に連続しかつ環状溝３４と胴外突出部２３との間に形成された隙間は、雄ねじ３５と雌ねじ２６との螺合部に対する水などの侵入経路となる。この侵入経路にはシールパッキン２７が配置されている。具体的に本実施形態では、侵入経路の内で胴外突出部２３の内周面２３ａと根元側部分３３ａの外周面３３ｃとの間の隙間を遮ってシールパッキン２７が設けられている。このシールパッキン２７は、内周面２３ａと外周面３３ｃとの間に圧縮状態に弾性変形して挟まれ、これらの間の防水を担う。なお、シールパッキン２７は外周面３３ｃに取付けて内周面２３ａに密接させてもよい。前記配置のシールパッキン２７に対し前記螺合部は、シールパッキン２７よりも胴１３の内部に寄せて、つまり、シールパッキン２７を境に胴内側に設けられている。
【００３２】
なお、シールパッキン２７は、前記配置に代えて、胴外突出部２３の外周面２３ｂと環状溝３４の内周面３４ａとの間に配置して、侵入経路を遮断することも可能である。この場合も、シールパッキン２７は外周面２３ｂと内周面３４ａとの内の一方に支持して他方に密接させることができる。なお、この配置に比較して図２に示したようにシールパッキン２７を配置することは、小さい故に低コストのシールパッキンを使用できるとともに、竜頭３１を回転操作する際のシールパッキンによる摩擦抵抗が小さく、竜頭操作を軽くできる点で好ましい。
【００３３】
図２に示すように竜頭筒部３３内には、胴内部から時計ムーブメントの巻真３７が挿入されているとともに、この巻真３７をばね受け３８を介して軸方向に付勢するコイルばね３９が収容されている。時計ムーブメントは、雌ねじ２６に対する雄ねじ３５の噛み合いを外した状態、言い換えれば、ねじロックが解除された状態で、竜頭３１の回転操作に連動して回転される。これにより、時刻合わせ等が行われるようになっている。
【００３４】
以上の構成を備えた腕時計１１の通常の状態では、竜頭３１が締められていて、その竜頭筒部３３の雄ねじ３５が巻真パイプ２１の雌ねじ２６にかみ合って、ねじロックされている。このため、携帯中に不用意に竜頭３１が回されて、時刻表示などが変化することを防止できる。
【００３５】
時刻合わせ等を行う場合には、竜頭３１を逆回転させて雌ねじ２６に対する竜頭主部３２の雄ねじ３５の噛み合いを外して（ねじロックを解除して）、竜頭３１をコイルばね３９のばね力に抗して引出した状態で行うことができる。
【００３６】
このねじロックの解除状態では、螺合部に対する侵入経路は時計の外部と連通した状態となるので、例えば海辺などの砂塵が多い場所で時刻合わせを行う場合には、侵入経路に砂塵等の細かい塵が入り込むことがある。しかし、螺合部に対する塵の侵入経路はその途中でシールパッキン２７により遮られているので、螺合部が時計の外部に晒されることはなく、螺合部に砂塵などが到達して噛み込むことを防止できる。
【００３７】
これにより、時刻合わせ等を行った後に、ねじロックをするために竜頭３１を締め込む方向に回転する際、及びそれ以降の竜頭操作が重くなったり、雄ねじ３５及び雌ねじ２６の摩耗や損傷が早まって耐久性を損なう恐れが解消され、軽く竜頭操作ができる。しかも、螺合部への水の侵入もシールパッキン２７で遮るので、長期間竜頭操作をしない場合にも、水との反応による螺合部での生成物を原因として、竜頭３１の回転操作が重くなることも防止できる。
【００３８】
又、ねじロックのための雌ねじ２６は、竜頭３１にではなく巻真パイプ２１の内周に形成されている。このため、雌ねじ２６を切る加工工具であるタップに、巻真パイプ２１の挿入部２２の内径にほぼ等しい太さのものを使用でき、これにより、タップの機械的強度が高められるに伴って、その寿命を向上できる。更に、タップは、その加工送りを短い距離に制限されることなく、巻真パイプ２１に挿通させて雌ねじ２６を切ることができるので、雄ねじ２６の加工性がよい。これらの理由により、雄ねじ２６の加工コストを低減できる。なお、ねじロックのための雄ねじ３５は、巻真パイプ２１にではなく、竜頭筒部３３の筒先側部分３３ｂの外周にバイトによって切ることができ、この加工は外側に開放された作業空間で行えるので、加工性がよい。
【００３９】
しかも、筒先側部分３３ｂより根元側部分３３ａは大径であるので、この根元側部分３３ａの外周面３３ｃに接してバイトが移動されることがない。このため、雄ねじ３５の加工に伴ってシールパッキン２７が圧接する根元側部分３３ａの外周面３３ｃの表面が荒れることがない。したがって、シールパッキン２７による防水及び防塵を確実に保証できる。
【００４０】
更に、既述のように挿入部２２にタップを挿通させて雌ねじ２６が形成されるから、挿入部２２の長さ範囲内で雌ねじ２６を長く形成することができ、その完全ねじ部を長く、しかも精度よく設けることができる。これとともに、雄ねじ３５についても、竜頭筒部３３の筒先側部分３３ｂの長さ範囲内で雄ねじ３５を長く、しかも精度よく設けることができる。そして、これらの雌ねじ２６と雄ねじ３５とを螺合させたので、ねじロック状態での完全ねじ部が噛み合う螺合部の長さ（図２中に符号Ｌで示す。）を長く確保できる。これにより、ねじロック状態での螺合部の耐久性を向上できる。
【００４１】
図３は本発明の第２実施形態を示している。この実施形態は、基本的には第１実施形態と同じであるので、第１実施形態と同じ構成については同一符号を付してその説明を省略し、以下、第１実施形態とは異なる構成とその作用を説明する。
【００４２】
第２実施形態では、巻真パイプ２１の挿入部２２の内周面と竜頭筒部３３の筒先側部分３３ｂの外周面との間をシールする内側のシールパッキン２８が、雌ねじ２６と雄ねじ３６との螺合部よりも胴１３の内部側に寄せて取付けられている。このシールパッキン２８は、例えば挿入部２２の内周面に支持されていて筒先側部分３３ｂの外周面に密接されているが、これに代えて筒先側部分３３ｂの外周面に支持して挿入部２２の内周面に密接させることもできる。
【００４３】
以上説明した以外の構成は第１実施形態と同じである。したがって、この第２実施形態においても本発明の課題を解決できる。しかも、内側のシールパッキン２８を設けたことにより、雌ねじ２６と雄ねじ３６との螺合部での摩耗により生じる摩耗粉が、時計ムーブメントが収まっている胴１３の内部に侵入することを抑制できる点で優れている。
【００４４】
本発明は前記各実施形態には制約されない。例えば、本発明は高圧防水性能を要求されるダイバーズウオッチへも好適に適用できる他、こうした高圧防水性能を要求されない通常の腕時計や懐中時計などの携帯時計にも適用できる。
【図面の簡単な説明】
【００４５】
【図１】本発明の第１実施形態に係る携帯時計を示す正面図。
【図２】竜頭がねじロックされた状態で図１中Ｆ２−Ｆ２線に沿って示す断面図。
【図３】本発明の第２実施形態に係る携帯時計を竜頭がねじロックされた状態で示す図２相当の断面図。
【符号の説明】
【００４６】
１１…腕時計（携帯時計）
１２…時計外装組立
１３…胴
１３ａ…胴外面
２１…巻真パイプ
２２…巻真パイプの挿入部
２３…巻真パイプの胴外突出部
２３ａ…胴外突出部の内周面
２６…巻真パイプの雌ねじ部
２７…外側のシールパッキン
２８…内側のシールパッキン
３１…竜頭
３２…竜頭主部
３３…竜頭筒部
３３ａ…竜頭筒部の根元側部分
３３ｂ…竜頭筒部の筒先側部分
３３ｃ…根元側部分の外周面
【図１】
2005265753.tif 000003
【図２】
2005265753.tif 000004
【図３】
2005265753.tif 000005